(57)【要約】【課題】  身近に所持している物品を用いて、紛失した所持品の報知手段を駆動してその所持品を探し出す事ができる物品探索システム及び方法を提供する。【解決手段】  探索側装置に設けられ、ボタンが押下されている間に連続して信号を発信し続ける発信部と、被探索対象装置に設けられ、暗号化された情報を記憶する暗号化情報記憶部と、被探索対象装置に設けられ、前記発信部より発信された信号を所定の回数以上受信した場合に、前記信号を前記暗号化情報記憶部に記憶された情報と照合し、その照合結果に基いて前記被探索対象装置の存在を外部に知らせる報知部の動作を制御する受信制御部と、を具備する。【選択図】        図１
2007004441.tif 000002
【特許請求の範囲】
【請求項１】
探索側装置に設けられ、ボタンが押下されている間に連続して信号を発信し続ける発信部と、
被探索対象装置に設けられ、暗号化された情報を記憶する暗号化情報記憶部と、
被探索対象装置に設けられ、前記被探索対象装置の存在を外部に知らせる報知部と、
被探索対象装置に設けられ、前記発信部より発信された信号を所定の回数以上受信した場合に、前記信号を前記暗号化情報記憶部に記憶された情報と照合し、その照合結果に基いて前記報知部の動作を制御する受信制御部と、
を具備した
物品探索システム。
【請求項２】
請求項１に記載された物品探索システムであって、
前記受信制御部は、
前記発信部より発信された信号を受信する受信部と、
前記受信部が所定の回数以上の前記信号を受信した場合に、前記信号を前記暗号化情報記憶部に記憶された情報と照合する暗号化情報処理部と、
前記暗号化情報処理部による照合の結果に基いて、前記被探索対象装置の存在を外部に知らせる報知部の動作を制御する制御部と、
を備える
物品探索システム。
【請求項３】
請求項２に記載された物品探索システムであって、
前記被探索対象装置は、
更に、
入力部を備え、
前記制御部は前記入力部から入力された情報を前記暗号化情報記憶部に書き込み可能であり、且つ、前記暗号化情報記憶部から前記制御部への情報の伝達は禁止されている
物品探索システム。
【請求項４】
請求項２又は３に記載された物品探索システムであって、
前記制御部は、前記暗号化情報処理部による照合の結果が一致であった場合に、前記被探索対象装置を使用不可の状態に設定する
物品探索システム。
【請求項５】
請求項１乃至４のいずれかに記載された物品探索システムであって、
前記探索側装置は、自動車のドアのロック・アンロックを制御するキ−であり、
前記被探索対象装置は、携帯型電話機である
物品探索システム。
【請求項６】
請求項２乃至５のいずれかに記載された物品探索システムであって、
前記暗号化情報記憶部は、前記被探索対象装置に着脱自在に設けられている
物品探索システム。
【請求項７】
探索側装置に設けられた発信部が、前記探索側装置に設けられたボタンが押下されている間に連続して信号を発信し続けるステップと、
被探索対象装置に設けられた受信制御部が、前記発信部より発信された信号を受信するステップと、
前記受信制御部が、受信した前記信号の回数が所定の回数以上であるか否かを判断するステップと、
前記信号を受信した回数が前記所定の回数以上であった場合に、前記受信制御部が、前記暗号化情報記憶部に記憶された情報と受信した前記信号とを照合する照合ステップと、
前記照合ステップの結果が一致であった場合に、前記受信制御部が外部に前記被探索対象装置の存在を知らせる動作を行う報知部を駆動するステップと、
を具備した
物品探索方法。
【請求項８】
請求項７に記載された物品探索方法であって、
更に、
前記受信制御部が、前記照合の結果が一致であった場合に、前記被探索対象装置を使用不可の状態に設定するステップ
を具備する
物品探索方法。
【請求項９】
請求項７又は８に記載された物品探索方法であって、
前記探索側装置は、自動車のドアのロック・アンロックを制御するキ−であり、
前記被探索対象装置は、携帯型電話機である
物品探索方法。
【発明の詳細な説明】
【技術分野】
【０００１】
本発明は、物品を探索する為の物品を探索する為の方法に関する。
【背景技術】
【０００２】
所持品を家や車の中などの限られた空間で紛失した際、速やかに紛失した所持品が探し出せることが望まれる。紛失した所持品が、例えば携帯型電話機であった場合には、別の携帯型電話機を探索側装置として使用して、被探索対象装置である携帯型電話機の呼び出し音を鳴らすなどして、位置を確認することができる。しかしながら、別の携帯型電話機が近くに無い場合には呼び出し音を鳴らす事ができず、容易に紛失した所持品を探索する事はできない。よって、紛失した所持品を容易に探索するためには、探索側装置が身近に所持している物品に組み込まれていることが望まれる。身近に所持している物品へ探索側装置を組み込む際には、物品のスペース的な制約や、操作性を下げることなく組み込むことが望まれる。
【０００３】
また、携帯型電話機などのように重要な情報を格納している所持品を紛失した場合には、第三者により取得されて悪用される心配がある。よって、所持品を紛失した場合には、第三者による悪用を防止する技術の提供も同時に望まれている。
【０００４】
上述の、ある物品を用いて他の物品の報知手段を駆動する技術としては、自動車のキーレスエントリシステムが知られている。関連して、特許文献１は、携帯機から送出される無線信号を受信し、その受信した無線信号に応じて車載機がドアロック機構のロック・アンロック動作を制御するキーレスエントリシステムであって、前記車載機は、受信した無線信号に応じて前記ドアロック機構の動作を実行させるとともに、その無線信号に応じて車両のドアノブ近傍を証明するランプを転倒させる制御手段を備えることを特徴とするキーレスエントリシステム、を開示している。
【０００５】
一方、紛失した所持品を探索する技術としては、ワイヤレス探知装置や、近距離無線通信技術を利用した物品探索システム、が知られている。これと関連して、特許文献２は、予め探知対象に対して設定された送信認識符号を記憶する送信認識符号記憶手段と、該送信認識符号手段から読み込んだ送信認識符号を送信する到達可能距離が異なる複数の無線送信手段とを備えた送信機と、前記送信機の複数の送信手段からの送信信号を個別に受信する複数の無線受信手段と、前記送信符号に対応する所定認識符号を記憶する所定認識符号記憶手段と、該所定認識符号記憶手段から読み込んだ所定認識符号と前記近距離受信手段及び遠距離受信手段で受信した受信認識符号とが一致しているか否かを判定する認識符号判定手段と、該認識符号判定手段の判定結果が所定認識符号及び受信認識符号が一致するものであるときに探知状態である事を報知する報知手段とを備えた事を特徴とするワイヤレス探知装置、を開示している。
【０００６】
また、特許文献３は、探索受信側装置の探索データを記憶するメモリと、ユーザインタフェースを介して入力された探索信号に該当する探索受信側装置の探索データを前記メモリから読み出して探索側無線装置へ出力する探索情報処理手段と、前記探索データを送信する近距離無線通信用の前記探索側無線装置とを備えた探索側装置と、前記探索側無線装置から送信された探索データを受信して探索受信側情報処理手段へ出力する近距離無線通信用の探索受信側無線装置と、前記探索受信側無線装置で受信された前記探索データが自装置宛のデータであるとき、報知手段を駆動するための制御信号を出力する前記探索受信側情報処理手段と、前記制御信号を入力してその位置を外部に報知する前記報知手段を備えた探索受信側装置と、によって構成されている事を特徴とする近距離無線通信技術を利用した物品探索システム、を開示している。
【０００７】
さらに、紛失した所持品が個人情報を格納した装置であった場合には、第３者により取得されて悪用されることを防止する技術が望まれる。これと関連して、特許文献４は、メッセージ通信が可能な携帯通信端末において、無線信号を送受信する無線部と、個人情報を記憶する記憶部と、着信を報知するために鳴動する呼出部と、を具え、前記記憶部には任意のメッセージが設定可能であって、受信したメッセージの先頭部分を前記設定されたメッセージと照合し、一致する場合には前記携帯通信端末から任意相手先への発信と、個人情報の読み書きとを、第三者に使用不可能にする不正使用禁止モードに切り替わる事を特徴とする携帯通信端末、を開示している。
【特許文献１】特開２０００−２４８８０１  公報
【特許文献２】特開２００２−１０９６６９  公報
【特許文献３】特開２００３−３２３６８２  公報
【特許文献４】特開２００３−３３８８７５  公報
【０００８】
しかしながら、これらの文献には、身近に所持している物品を用いて、紛失した所持品の報知手段を駆動して探索を行う技術に関しての記載は無い。
【発明の開示】
【発明が解決しようとする課題】
【０００９】
即ち、本発明の目的は、身近に所持している物品を用いて、紛失した所持品の報知手段を駆動して探し出す事ができる物品探索システム及び方法を提供する事にある。
【００１０】
本発明の更に別の目的は、身近に所持している物品へ、スペース的な制約や操作性を下げることなく探索側の装置を組み込んだ物品探索システム及び方法を提供することにある。
【００１１】
更に、本発明の別の目的は、紛失した所持品に格納された情報の流出を防ぐことのできる物品探索システム及び方法を提供する事にある。
【課題を解決するための手段】
【００１２】
以下に、［発明の実施の形態］で使用される番号・符号を用いて、課題を解決する為の手段を説明する。これらの番号・符号は［特許請求の範囲］の記載と［発明の実施の形態］の記載との対応関係を明らかにする為に付加されている。但し、付加された番号・符号は［特許請求の範囲］に記載されている発明の技術的範囲の解釈に用いてはならない。
【００１３】
本発明に係る物品探索システム（１）は、
探索側装置（２０）に設けられ、ボタン（２１）が押下されている間に連続して信号を発信し続ける発信部（２２）と、
被探索対象装置（３０）に設けられ、暗号化された情報を記憶する暗号化情報記憶部（３２）と、
被探索対象装置（３０）に設けられ、被探索対象装置（３０）の存在を外部に知らせる報知部（３４）と、
被探索対象装置（３０）に設けられ、発信部（２２）より発信された信号を所定の回数以上受信した場合に、その信号を暗号化情報記憶部（３２）に記憶された情報と照合し、その照合結果に基いて報知部（３４）の動作を制御する受信制御部（４０）とを備える。
上述の構成に依れば、被探索対象装置（３０）が所定の回数以上の信号を受信した場合において、報知部（３４）が動作してその存在を外部へ知らせることができる。即ち、所定の回数以上の信号を発信するように、ボタン（２１）を長く押すことにより動作するために、ボタン（２１）を短く押す動作と区別することができる。よって、探索側装置（２０）を短く押す動作を別の機能に割り当てる事が可能となる。ボタン（２１）を短く押す動作を、身近にある物品の機能に割り当てることができるために、身近な物品を用いて被探索対象装置（３０）の探索が可能となる。
【００１４】
本発明に係る物品探索システム（１）において、
受信制御部（４０）は、
発信部（２２）より発信された信号を受信する受信部（３１）と、
受信部（３１）が所定の回数以上の信号を受信した場合に、その信号を暗号化情報記憶部（３２）に記憶された情報と照合する暗号化情報処理部（３３）と、
その照合の結果に基いて、被探索対象装置（３０）の存在を外部に知らせる報知部（３４）の動作を制御する制御部（３５）と、
を備える
物品探索システム。
上述の構成に依れば、被探索対象装置（３０）が所定の回数以上の信号を受信した場合において、報知部（３４）が動作してその存在を外部へ知らせることができる。即ち、所定の回数以上の信号を発信するように、ボタン（２１）を長く押すことにより動作するために、ボタン（２１）を短く押す動作と区別することができる。よって、探索側装置（２０）を短く押す動作を別の機能に割り当てる事が可能となる。更には、暗号化情報処理部（３５）を設けることにより、暗号化情報記憶部３２からのデータは制御部（３５）へ直接送信される必要が無い。よって、制御部（３５）を介して暗号化情報記憶部（３２）に格納された情報が流出する恐れが無い。
【００１５】
本発明に係る物品探索システム（１）において、
被探索対象装置（３０）は、
更に、
入力部（３６）を備え、
制御部（３５）は入力部（３６）から入力された情報を暗号化情報記憶部（３３）に書き込み可能であり、且つ、暗号化情報記憶部（３２）から制御部（３５）への読み込みは禁止されている。
制御部（３５）が暗号化情報記憶部（３３）へ書き込む事のみ可能であり、暗号化情報記憶部（３２）からの読み込みが禁止されている事により、情報の書き込みと読み込みが別経路となる。よって、暗号化情報記憶部（３３）に格納された情報が制御部（３５）へ読み込まれる事で流出し、第三者により悪用されるリスクが低減できる。
【００１６】
本発明に係る物品探索システム（１）において、
制御部（３５）は、その照合の結果が合致した場合に、被探索対象装置（３０）を使用不可の状態に設定する。
これにより、被探索対象装置（３０）が紛失時に第三者に取得された場合にも使用不可に設定する事ができるので悪用の恐れが無い。
【００１７】
本発明に係る物品探索システム（１）において、
探索側装置（２０）は、自動車のドアのロック・アンロックを制御するキ−であり、
被探索対象装置（３０）は、携帯電話機であることが好ましい。
【００１８】
本発明に係る物品探索システム（１）において、
暗号化情報記憶部（３２）は、被探索対象装置（３０）に着脱自在に設けられていることが好ましい。
暗号化情報記憶部（３２）が着脱自在であることにより、情報を保護し、他の被探索対象装置へ情報を移管することも容易である。
【００１９】
本発明に係る物品探索方法は、
探索側装置（２０）に設けられた発信部（２２）が、ボタンの押下に反応してボタンが押下されている間に連続して信号を発信し続けるステップ（ステップＳ１０）と、
被探索対象装置（３０）に設けられた受信部（３１）が、発信部（２２）より発信された信号を所定の時間以上の間、受信するステップ（ステップＳ２０）と、
被探索対象装置（３０）に設けられた暗号化情報処理部（３２）が、受信部（３１）が受信したその信号が所定の回数以上であるか否かを判断するステップ（ステップＳ３０）と、
所定の回数以上であった場合に、暗号化情報処理部（３２）がその信号を暗号化情報記憶部（３２）に記憶された情報と照合する照合ステップ（ステップＳ４０）と、
照合ステップ（Ｓ４０）の結果に基いて、被探索対象装置（３０）に設けられた制御部（３５）が、外部に被探索対象装置（３０）の存在を知らせる動作を行う報知部（３４）の動作を制御するステップ（ステップＳ５０）と、
を備える。
【００２０】
本発明に係る物品探索方法は、
更に、
制御部（３５）が、その照合の結果が合致した場合に被探索対象装置（３０）を使用不可の状態に設定するステップ（ステップＳ６０）
を備える。
【００２１】
本発明に係る物品探索方法において、
探索側装置（２０）は、自動車のドアのロック・アンロックを制御するキ−であり、
被探索対象装置（３０）は、携帯電話機である。
【発明の効果】
【００２２】
本発明に依れば、身近に所持している物品を用いて、紛失した所持品の報知手段を駆動して探し出す事ができる物品探索システム及び方法を提供される。
【００２３】
更に、本発明に依れば、紛失した所持品に格納された情報の流出を防ぐことのできる物品探索システム及び方法が提供される。
【発明を実施するための最良の形態】
【００２４】
（第1の実施形態）
（構成）
図１は本実施の形態に係る物品探索システム１０を概略的に示す図である。本実施の形態に係る物品探索システム１０は探索側装置２０及び被探索対象装置３０を備えている。尚、本実施の形態においては、探索側装置２０が自動車のドアのロック・アンロックを制御する電子キ−であり、被探索対象装置３０は携帯型電話機であることが好ましい。
【００２５】
電子キ−はボタン２１及びボタン２１に連動した発信部２２を備えており、ボタン２１が押下されている間には、発信部２２が信号を発信し続けるようになっている。
【００２６】
被探索対象装置３０は入力部３６、制御部３５、暗号化情報処理部３３、受信部３１、報知部３４、及び暗号化情報記憶部３２を備えている。
【００２７】
暗号化情報記憶部３２は、被探索対象装置３０に対して着脱自在に設けられている。暗号化情報記憶部３２は、暗号化された情報を記憶している。その暗号化された情報は更新可能となっている。
【００２８】
入力部３６は外部から入力された暗号化された情報を制御部３５に通知する。外部からの入力は、例えば携帯型電話機の場合はメモリカード、メール、ＷＥＢからのダウンロード、及びキー入力により行われる。入力部３６から入力された情報は、制御部３５を介して暗号化情報記憶部３２に送られて、暗号化情報記憶部３２に格納された情報を更新することができる。
【００２９】
報知部３４は、被探索対象装置３０の存在を、例えば音や光を発する事で外部へ知らせる機能を有している。報知部３４の動作は制御部３５によって制御される。
【００３０】
受信部３１は発信部２２が発信した信号を受信してデジタル信号に復調する機能を実現する。更に受信部３１は、復調した信号を制御部３５に送信する機能を実現する。
【００３１】
制御部３５は、ＣＰＵ３８、被探索対象装置３０の動作を制御する制御プログラム３７が格納されたＲＯＭ、及びＲＡＭ３９を備えている。制御部３５は、ＲＯＭに格納された制御プログラム３７をＣＰＵ３８に実行させる事により、後述の暗号化処理部３３が行う機能以外の機能を実現する。例えば、被探索対象装置３０が携帯型電話機である場合には、制御プログラム３７は通話やメールの作成に関する機能を実現する為のプログラムである。
【００３２】
制御部３５は、この他に、受信部３１から受信した信号を暗号化情報処理部３２に送信する機能を実現する。また、制御部３５は、受信部３１が受信した信号が所定の回数以上であるか否かを判断する機能を実現する。加えて、制御部３５は、暗号化情報処理部３３からの照合結果の通知に基いて、報知部３４を駆動したり、被探索対象装置３０を使用不可の状態に設定する機能を実現する。尚、暗号化情報処理部３３の照合については後述する。また、制御部３５は、暗号化情報記憶部３２に格納された情報を読み込む事は不可能であるように設定されている。
【００３３】
更に制御部３５は、入力部３６から入力された情報を暗号化情報記憶部３２に格納して更新する機能を実現する。
【００３４】
暗号化情報処理部３３は、制御部３５とは別のハードウェア資源により構成されている。暗号化情報処理部３３は、ＣＰＵ３９、ＲＯＭ４１、及びＲＡＭ４２を備えており、ＲＯＭ４１に備えられた照合プログラム３８がＣＰＵにより実行される事でその機能を実現する。即ち、暗号化情報処理部３３は暗号化情報記憶部３２にアクセスして、制御部３５から送信された信号と暗号化情報記憶部３２に格納された情報との照合を行う機能を実現する。更に、暗号化情報処理部３３は、照合の結果を制御部３５に通知する機能を実現する。
【００３５】
（動作）
続いて、本実施の形態に係る物品探索方法の動作について説明する。図２は本実施の形態に係る物品探索方法のフローチャートを示している。本実施の形態に係る物品探索方法は、探索側装置２０が信号を発信するステップ（ステップＳ１０）、被探索対象装置３０が信号を受信するステップ（ステップＳ２０）、受信した信号が所定の回数以上であるか否かを判断するステップ（ステップＳ３０）、照合ステップ（ステップＳ４０）、報知するステップ（ステップＳ５０）、及び被探索対象装置３０を使用不可の状態に設定するステップ（ステップＳ６０）を備えている。
【００３６】
（ステップＳ１０）
まず、所持品を紛失した場合には、探索対象側装置３０のボタン２１がユーザによって押下される。するとボタン２１の押下に連動して発信部２２が信号を発信する。ボタン２１が押下されている間は、発信部２２は連続して信号を発信する。
【００３７】
（ステップＳ２０）
続いて、受信部３１が、発信部２２から発信された信号を受信する。受信部３１は受信した信号をデジタル信号に復調して制御部３５へ送信する。
【００３８】
（ステップＳ３０）
復調された信号を受け取った制御部３５は、受信部３１が受信した信号の回数をカウントして、その回数が所定の回数以上であるか否かを判断する。判断の結果、所定の回数より少なかった場合には、何も動作せずに処理を終了する。一方、所定の回数以上であった場合には、制御部３５が受け取った信号を暗号化情報処理部３３へ送信する。
【００３９】
（ステップＳ４０）
制御部３５から信号を受け取った暗号化情報処理部３３は、暗号化情報記憶部３２を参照して、受け取った信号を暗号化情報記憶部３２に格納された情報と照合する。更に、暗号化情報処理部３３は、照合の結果を制御部３５へ通知する。
【００４０】
（ステップＳ５０）
暗号化情報処理部３３より照合の結果を受け取った制御部３５は、照合の結果が不一致であった場合には何も動作せずに処理を終了する。一方、照合の結果が合致していた場合には、報知部３４を駆動する。これにより報知部３４は音や光を発しして、被探索対象装置３０の存在を外部に知らせる。
【００４１】
（ステップＳ６０）
更に、制御部３５は、報知部３４を駆動する一方で、被探索対象装置３０の設定を使用不可の状態に設定する。以上の一連の動作により、本実施の形態に係る物品探索方法の動作が終了する。
【００４２】
（作用・効果）
本実施の形態に依れば、被探索対象装置３０が所定の回数以上の信号を受信した場合にのみ被探索対象装置３０の報知部３４が駆動するために、ボタン２１の押す時間の長さによって探索側装置２０の役割を二つ持たせることができる。即ち、ボタン２１を短い時間押した場合には、被探索対象装置３０は物品探索システム１０の一部として動作するのではなく自動車のドアのロック・アンロックの制御に例示される別の動作を行う装置として扱う事ができる。よって、探索側装置は、物理的な構成は一つでありながら、物品探索システムの探索側装置としての機能とは別の機能をも兼ねることができる。よって、物理的なスペースが省略される。
【００４３】
また、被探索対象装置３０が受信した信号を暗号化された情報と照合する際に、暗号化情報記憶部３２に格納された情報は制御部３５へ送られる事が無く、暗号化情報処理部３３にて照合が行われる。よって、暗号化された情報が制御部３５を介して外部へ流出する恐れが無い。
【００４４】
更には、制御部３５が、被探索対象装置３０の動作を使用不可に設定する事により、第三者に取得されて悪用されるリスクを低減することができる。
【００４５】
（第２の実施形態）
図３は第２の実施形態に係る物品探索システムの概略的な構成を示している。
本実施の形態に係る物品探索システム１は、探索側装置２０と被探索対象装置３０とを備えている。探索側装置２０の構成は第１の実施形態に係る探索側装置２０と同じである。
【００４６】
被探索対象装置３０は、入力部３６、受信制御部４０、報知部３４、及び暗号化情報記憶部３３を備えており、互いにバスラインを介して接続している。入力部３６及び報知部３４の機能については第１の実施形態と同様であるので説明は省略する。
【００４７】
受信制御部４０は受信照合部４１及び制御部３５を備えている。受信照合部４１と制御部３５とは別々のハードウェア構成である。
【００４８】
受信照合部４１は、発信部２２から受信した信号をデジタル信号に復調する機能を実現する。更に、受信照合部４１は、復調したデジタル信号を後述するように暗号化情報記憶部３３より通知された暗号化された情報と照合して、照合の結果を制御部３５に通知する機能を実現する。更に、受信照合部４１は、制御部３５に復調した信号を出力する機能を実現する。
【００４９】
制御部３５は、受信照合部４１から取得した信号の回数が、予め設定された所定の回数以上であるか否かを判断する。更に、制御部３５は、受信照合部４１から取得した信号の回数が所定の回数以上であった場合には、暗号化情報記憶部３３にアクセスして暗号化情報記憶部３３に格納された情報を受信照合部４１へ出力させる。更に、制御部３５は、受信照合部４１から照合の結果が一致した旨を通知された場合には、報知部３４を駆動して音又は光をするように報知部３４を制御する機能を実現する。
【００５０】
（動作）
図４は本実施の形態に係る物品探索方法のフローチャートを示している。本実施の形態に係る物品探索方法は、信号を発信するステップ（ステップＳ１０）、信号を受信するステップ（ステップＳ２０）、受信した信号の回数を判断するステップ（ステップＳ３０）、照合を行うステップ（ステップＳ４０）、報知するステップ（ステップＳ５０）、及び被探索対象装置を使用不可に設定するステップ（ステップＳ６０）を備えている。
【００５１】
（ステップＳ１０）
まず、所持品を紛失した場合において、ユーザは探索対象側装置３０のボタン２１を押下する。するとボタン２１の押下に連動して発信部２２が信号を発信する。ボタン２１が押下されている間は、発信部２２は連続して信号を発信する。
【００５２】
（ステップＳ２０）
続いて、受信照合部４１が、発信部２２から発信された信号を受信する。受信照合部４１は受信した信号をデジタル信号に復調して制御部３５へ送信する。
【００５３】
（ステップＳ３０）
復調された信号を受け取った制御部３５は、取得した信号の回数をカウントして、その回数が所定の回数以上であるか否かを判断する。判断の結果、所定の回数より少なかった場合には、何も動作せずに処理を終了する。一方、所定の回数以上であった場合には、暗号化情報記憶部３２にアクセスして暗号化情報記憶部３２から受信照合部４１へ暗号化された情報を通知するように指示を与える。
【００５４】
（ステップＳ４０）
暗号化情報記憶部３３から情報を受け取った受信照合部４１は、復調した信号と受け取った情報との照合を行い、結果を制御部３５に通知する。照合の結果を通知された制御部３５は、照合の結果が一致であった場合には次のステップＳ５０に進み、不一致であった場合には動作せずに処理を終了する。
【００５５】
（ステップＳ５０）
照合の結果が一致であった場合には、制御部３５は報知部３４を駆動する。これにより、報知部３４は音や光を発して外部に対して存在を知らせる。
【００５６】
（ステップＳ６０）
更に、制御部３５は、報知部３４を駆動する一方で、被探索対象装置３０の設定を使用不可の状態に設定する。以上の一連の動作により、本実施の形態に係る物品探索方法の動作が終了する。
【００５７】
（作用・効果）
本実施の形態に依れば、第１の実施形態における作用・効果に加え、受信照合部４１が受信と同時に暗号化された情報との復調を行うために、ユーザは探索対象側装置２０を動作させながら移動して被探索対象装置３０を探索することができる。また、新たに暗号化情報処理部を設ける必要が無い為に、省スペース化に寄与できる。
【図面の簡単な説明】
【００５８】
【図１】第１の実施の形態に係る物品探索システムの概略構成図を示す。
【図２】第１の実施の形態に係る物品探索方法のフローチャートを示す。
【図３】第２の実施の形態に係る物品探索システムの概略構成図を示す。
【図４】第２の実施の形態に係る物品探索方法のフローチャートを示す。
【符号の説明】
【００５９】
１０    物品探索システム
２０    探索側装置
２１    ボタン
２２    発信部
３０    被探索対象装置
３１    受信部
３２    暗号化情報記憶部
３３    暗号化情報処理部
３４    報知部
３５    制御部
３６    入力部
４０    受信制御部
４１    受信照合部
【図１】
2007004441.tif 000003
【図２】
2007004441.tif 000004
【図３】
2007004441.tif 000005
【図４】
2007004441.tif 000006